【手続補正書】
【提出日】平成17年5月16日(2005.5.16)
【手続補正１】
【補正対象書類名】明細書
【補正対象項目名】全文
【補正方法】変更
【補正の内容】
【書類名】        明細書
【発明の名称】    側面部及び上面部に容易に植込みが可能な植栽容器及び植栽方法
【特許請求の範囲】
【請求項１】  上面が開放または閉じられた容器の側面部及び／又は上面部に少なくとも１以上の植込み穴を形成し、前記植込み穴と連通する筒体を容器の内部に向け設けた植栽容器であって、前記筒体の先端開口部の内径上端が前記植込み穴の下端よりも下方位置にあることを特徴とする植栽容器。
【請求項２】  上面が開放または閉じられた容器の側面部及び／又は上面部に少なくとも１以上の植込み穴を形成し、前記植込み穴と連通する筒体を容器の内部に向け設けた植栽容器であって、前記筒体の先端開口部の内径上端が前記植込み穴の下端よりも上方位置でかつ前記植込み穴の上端よりも下方位置にあり、さらに前記筒体の先端開口部の内径上端から前記植込み穴の下端までの水平方向長さ（Ｌ１）と、前記筒体の先端開口部の内径上端と植込み穴の下端との高さの差（Ｈ１）との比（Ｌ１／Ｈ１）が３以上であることを特徴とする植栽容器。
【請求項３】  上面が開放または閉じられた容器の側面部及び／又は上面部に少なくとも１以上の植込み穴を形成し、前記植込み穴と連通する筒体を容器の内部及び外部に向け設けた植栽容器であって、前記筒体の内部の先端開口部の内径上端が外部の先端開口部の内径下端よりも下方位置にあることを特徴とする植栽容器。
【請求項４】  上面が開放または閉じられた容器の側面部及び／又は上面部に少なくとも１以上の植込み穴を形成し、前記植込み穴と連通する筒体を容器の内部及び外部に向け設けた植栽容器であって、前記筒体の内部の先端開口部の内径上端が外部の先端開口部の内径下端よりも上方位置でかつ内径上端よりも下方位置にあり、さらに前記筒体の内部の先端開口部の内径上端から外部の先端開口部の内径下端までの水平方向長さ（Ｌ２）と、前記筒体の内部の先端開口部の内径上端と外部の先端開口部の内径下端との高さの差（Ｈ２）との比（Ｌ２／Ｈ２）が３以上であることを特徴とする植栽容器。
【請求項５】  上面が開放または閉じられた容器の側面部及び／又は上面部に少なくとも１以上の植込み穴を形成し、前記植込み穴と連通する筒体を容器の外部に向け設けた植栽容器であって、前記筒体の先端開口部の内径下端が植込み穴の上端よりも上方位置にあることを特徴とする植栽容器。
【請求項６】  上面が開放または閉じられた容器の側面部及び／又は上面部に少なくとも１以上の植込み穴を形成し、前記植込み穴と連通する筒体を容器の外部に向け設けた植栽容器であって、前記筒体の先端開口部の内径下端が植込み穴の上端よりも下方位置でかつ下端より上方位置にあり、さらに前記筒体の先端開口部の内径下端から前記植込み穴の上端までの水平方向長さ（Ｌ３）と、前記筒体の先端開口部の内径下端と植込み穴の上端との高さの差（Ｈ３）との比（Ｌ３／Ｈ３）が３以上であることを特徴とする植栽容器。
【請求項７】  請求項１乃至請求項６何れかに記載の植栽容器において、前記筒体を容器と別体としたことを特徴とする植栽容器。
【請求項８】  請求項１乃至請求項７何れかに記載の植栽容器において、複数の筒体を一体化したことを特徴とする植栽容器。
【請求項９】  請求項１乃至請求項８記載の植栽容器において、複数の筒体を含む面で筒体を分割したことを特徴とする植栽容器。
【請求項１０】  請求項１乃至請求項８記載の植栽容器において、複数の筒体及び植込み穴を含む面で筒体及び容器を分割したことを特徴とする植栽容器。
【請求項１１】  請求項１０記載の植栽容器において、筒体及び容器を分割した分割面に仕切り壁を設けたことを特徴とする植栽容器。
【請求項１２】  上面が開放された容器の側面部上端に連接して少なくとも１以上の筒体を略軸線方向に分割して形成された半割体の一方を前記容器の上面部に凹面を上方に向け設けるとともに、前記筒体の半割体の他方を前記容器の底面外側に凹面を下方に向け設けた容器を複数段積み重ねることを特徴とする植栽容器。
【請求項１３】  上面が開放または閉じられた容器の側面部に少なくとも１以上の植込み穴を形成し、前記植込み穴と連通する１以上の閉構造容器を前記容器の内部に向け設けた植栽容器であって、前記１以上の閉構造容器を含む面で閉構造容器を分割したことを特徴とする植栽容器。
【請求項１４】  上面が開放または閉じられた容器の側面部に少なくとも１以上の植込み穴を形成し、前記植込み穴と連通する１以上の閉構造容器を前記容器の内部に向け設けた植栽容器であって、前記閉構造容器及び前記植込み穴を含む面で前記閉構造容器及び前記容器を分割したことを特徴とする植栽容器。
【請求項１５】  請求項１乃至請求項１４何れかに記載の植栽容器において、前記植栽容器は薄型容器であり、容器の最も薄い方向の２つの面の１つに植込み穴を有することを特徴とする植栽容器。
【請求項１６】  請求項１乃至請求項１５何れかに記載の植栽容器において、前記植込み穴に栓を設けたことを特徴とする植栽容器。
【請求項１７】  請求項１乃至請求項１６何れかに記載の植栽容器において、前記植栽容器の側面部の植込み穴を除いた部分に絵、模様、彫刻などの装飾を施したことを特徴とする植栽容器。
【請求項１８】上面が開放又は培養土充填用開口穴を有する閉じられた容器あって、少なくともその側面部には植込み穴を有し、該植込み穴と連通した先端開口部を有する筒体を一体もしくは別体に、内部及び／又は外部に向け設けられた植栽容器を用い、培養土を開放された上面もしくは培養土充填用開口穴から植栽容器内に所定の高さまで充填し、前記筒体に形成された培養土が侵入しない空間を利用して苗もしくは種子を植栽容器の側面部に植込みすることを特徴とする植栽方法。
【請求項１９】上面が開放又は培養土充填用開口穴を有する閉じられた容器あって、少なくともその側面部には植込み穴を有し、該植込み穴と連通した先端開口部を有する筒体を一体もしくは別体に、内部及び／又は外部に向け設けられた植栽容器を用い、苗を植込み穴から前記筒体に挿入して苗の根部が前記筒体の先端開口部より下方位置になるようにし、培養土を開放された上面もしくは培養土充填用開口穴から植栽容器内に所定の高さまで充填して根の根部を埋め込み、前記筒体に形成された培養土が侵入しない空間に苗を保持し、植栽容器の側面部に植込みすることを特徴とする植栽方法。
【請求項２０】上面が開放又は培養土充填用開口穴を有する閉じられた容器あって、少なくともその側面部には植込み穴を有し、該植込み穴と連通した先端開口部を有する筒体を一体もしくは別体に、内部及び／又は外部に向け設けられた植栽容器を用い、培養土を開放された上面もしくは培養土充填用開口穴から植栽容器内に所定の高さまで充填して、前記筒体に形成された培養土が侵入しない空間に種子を植込み穴から挿入し、その後必要に応じて適度な量の培養土を植込み穴から挿入して種子に覆土を行い、植栽容器の側面部に植込みすることを特徴とする植栽方法。
【発明の詳細な説明】
【０００１】
【発明の属する技術分野】
本発明は植物を育成する植栽容器において、側面部植込み及び上面部植込みを容易かつ確実に行えるようにし、もって容器全体に安定した多くの植込みが可能な植栽容器に関するものである。
【０００２】
【従来の技術】
最も一般的に利用されている植栽容器は上面が開放された容器で、この上面部に植込みを行うのものである。さらに一つの容器で多種類の植物を楽しむため及び容器全体を植物で覆って美しい景観を楽しむため、容器側面部に植込み穴を設けてこれに植込みをすることが行われている。
【０００３】
特開平７−３２７５００号公報には上方開放面が上面育成部とされたボックス本体と、内部に植物苗を保持可能な保持筒を設け、ボックス本体の外周側壁に保持筒を勘入可能な横植込み穴を形成し、この横植込み穴に植物苗を保持させた係止めフランジを有する保持筒を外周側壁に下方に傾斜させた状態で着脱自在に装着した植栽ボックス及び当該植栽ボックスにおいて、横植込み穴に植物苗を内部に挿入固定した保持筒を着脱自在に挿入し、ボックス本体の側面も育成部とし、この側面育成部の植物を植え換える際には、側面育成部の植物を保持筒ごと抜き取り、植え換え用の植物苗付き保持筒を横植込み穴に挿入する植物育成方法が開示されている。
【０００４】
また、空間をできるだけ有効に利用して多彩な植物の空間レイアウトを楽しむため、容器に植込みをして適宜な吊り具を用いて空間に吊るしたり壁に掛けたりすることも行われている。また容器を多段に積み重ねて狭い面積で多くの植栽を楽しむことも行われている。
【０００５】
しかし、いずれの場合も側面部植込みは手間を要するため、あくまで上面部植込みが主体で側面部植込みは付加的なものである。そのため側面部植込みは上級の園芸家に用いられる程度の普及率である。また上面部に対しては苗及び種子ともに植込みが行われているが、側面部に対しては苗の植込みは行われているが種子の植込みは行われていない。なお、本出願において苗とは発芽後間もない小さな植物から、既に成長した植物までを含むものとして説明する。
【０００６】
ところで、多彩な植栽を楽しむため種々の形状、材質の容器が用いられているが、いずれの場合も上記に示したように上面が開放された容器である。つまり、上面が閉じられた容器、すなわち基本構成面が培養土の充填や水遣りなどのための小穴を除いて実質的に閉じられた構造をなす容器は植栽容器としてまったく使用されていない。
【０００７】
また、忙しい現代人の植物の楽しみ方としては、容器に植込まれた成長した植物を購入することがもっとも多く、次に小さな苗を買い求めて育成することが多い。その結果、種子を植えて育成することは園芸に趣味を持つ人以外は極めて少ない状況である。しかし植物を楽しむ本来の主旨からすれば、種子から発芽した小さな苗を自らの手で育成することは貴重な経験であり、また心の安らぎの面からも大切なことである。また、身体上のハンデのある非健常者や入院患者などは苗はもちろん種子からの育成はやりたくてもできないのが実状である。このような状況及び理由から簡単に種子からの植込みと育成が可能な植栽容器が求められている。
【０００８】
さらに、今までは容器側面部に植込みを行うことが少ないため、側面部植込みをした容器の側面部に絵、模様、彫刻などの装飾を積極的に施したものは希である。特に空間設置用の容器、その中でも殊に壁面設置用の容器では側面部が正面視野に入るので、装飾を施して景観性を高めることが求められている。
【０００９】
【発明が解決しようとする課題】
特開平７−３２７５００号公報に開示された植栽容器及び植栽方法は植物苗の側面植込み及び植替えを容易にするものであるが、次のような点で問題がある。まず種子の植込みの可能性についてはまったく開示されていないことである。次に植替えにあたっては植込んだ植物を保持筒ごと引き抜くのであるから、苗の根部の大部分はこの保持筒の中の培養土中にあることになる。もし根部が容器本体の中に根を張っておれば苗を保持筒ごと引き抜くことは難しいはずである。そこで添付された図面から判断すると、保持筒の容器内部の先端開口部が横植込み穴に接近していること、及び先端開口部の内径上端が横植込み穴の下端よりも上方に位置していることなどのため、保持筒の中の培養土の流出が起こり易いものと想定される。特に水遣り時や風雨にさらされた時にはかなり多くの培養土の流出があると思われる。その結果、苗の根部は不安定になり、特に小さな苗や植込んですぐの苗などでは横植込み穴から脱落することも予想されうる。以上のようにここに開示された植栽容器及び植栽方法は保持筒の容器内部の先端開口部の位置、直径及び筒体の長さなどに考慮が払われていないため、側面部に植込んだ植物の安定した育成に難がある、または植込める植物の種類に制限があるものと考えられる。
【００１０】
また、その他の一般に行われている側面部植込み方法においても種子の植込みはまったく行われていない。その理由は前記例のような保持筒は設けず単に植込み穴を設けるのみであるので、たとえ側面の植込み穴から種子を植込んでも種子がその植込み穴から確実に発芽する保証がないからである。
【００１１】
次に従来から使用されてきた植栽容器はすべて上面が開放された容器であって、上面が閉じられた容器を使ってその側面部及び上面部に植込みが可能な植栽容器及び植栽方法はまったく開示及び実施されていない。
【００１２】
さらに空間設置する容器については、容器を空間設置する場合は上面部植込みのみを行ったり、または上面部を主体として側面部の植込みを付加的に行ったりしており、必ず上面部植込みのためにある程度の広さの上面部面積の容器を使用する。そのためかなりの面積を占有することになり空間設置が制限される場合がある。特に壁、塀などへの設置、いわゆる壁面設置の場合には景観上壁面から容器があまり突出しない寸法、構造の容器が求められている。
【００１３】
また、一般の人に種子の植込みと育成があまり行われない理由は、ひとつには育成に手間と時間がかかるということもあるが、もうひとつの大きな理由は植込みにあたって、容器と培養土と種子をそれぞれ別々に買い求めて帰り、その後、容器に培養土を入れて種子を植込むという面倒さにある。非健常者や入院患者などの場合はなおさらである。もし培養土が前もって容器に充填されており、例えば複数の穴などから種子を投入すればよい状態で購入することができれば極めて容易に種子の植込みと育成を楽しめることになる。また前もって種子まで容器内に植込まれておればさらに容易である。そのためには容器内の培養土及び種子が移動、運搬中に容器から流出しない構造の植栽容器が求められる。
【００１４】
容器側面部の装飾は従来あまり注意が払われていないが、今後、側面部植込みや空間設置の植栽容器が多く用いられるようになれば重要な要素になると予想される。
【００１５】
本発明は上記従来の技術の問題点に鑑み、技術面及び社会面で下記のような課題を解決することを目的とする。
（技術面）
（１）上面が開放された容器において、苗の側面部植込みが容易かつ安定に行えるとともに、従来まったく実施されていない種子の側面部植込みが可能な植栽容器を提供する。
（２）従来まったく使用されていない上面が閉じられた容器において、苗及び種子の側面部及び上面部の植込みが可能な植栽容器を提供する。
（３）側面部植込みが主体の小スペース型の多段式植栽容器を提供する。
（４）側面部植込みが主体の壁面設置に適した植栽容器を提供する。
（５）容器に培養土を充填し及びさらに種子を植込んだ状態でも、移動、運搬中に培養土及び種子が容器から流出しない植栽容器を提供する。
（６）側面部植込みおよび空間設置に適した容器の側面部に装飾を施した景観価値の高い植栽容器を提供する。
（７）上面が開放または閉じられた容器をおいて、側面部や上面部に種子及び苗を容易に植込むことができる植栽方法を提供する。
（社会面）
（１）従来、植物の園芸においては上面部植込みが主体であるが、新たに側面部植込みが主体の植栽方法を創出する。
（２）従来まったく使用されていない上面が閉じられた容器を植栽用に使用できるようにし、通常の上面が開放された容器とあわせて多彩な植栽を楽しむことができるようにする。
（３）側面部植込みが主体の小スペース型の多段式植栽容器により空間の有効利用を促進する。
（４）壁等への壁面設置に適した植栽容器により空間の有効利用を促進する。
（５）容器に前もって培養土を入れたり及びさらに種子を植込んだりした容器を自由に移動、運搬することを可能にし、園芸に不慣れな一般の人や非健常者等も簡単に種子の植込みと育成を楽しむことができるようにする。
【００１６】
【課題を解決するための手段】
本発明は下記の構成を主旨とする。
【００１７】
（手段１）  上面が開放または閉じられた容器の側面部及び／又は上面部に少なくとも１以上の植込み穴を形成し、前記植込み穴と連通する筒体を容器の内部に向け設けた植栽容器であって、前記筒体の先端開口部の内径上端が前記植込み穴の下端よりも下方位置にあることを特徴とする植栽容器である。
【００１８】
本手段の構成要素の態様について説明する。容器は上面が開放された容器及び上面が閉じられた容器を用いる。前者の上面が開放された容器は一般に用いられている容器である。後者の上面が閉じられた容器とは基本構成面が培養土の充填や水遣りなどのための小穴を除いて実質的に閉じられた構造をなす容器である。そして上面が開放された容器では側面部に前記のような植込み穴および筒体を設ける。また上面が閉じられた容器の場合は同様の植込み穴および筒体を側面部及び／又は上面部に設ける。なお本発明において植込み穴とは上面が開放された容器において、容器側面部上端から側面部にかけて設けた切欠きも含むものとする。
【００１９】
側面部及び上面部の植込み穴は苗及び種子が挿入できる大きさがあればよく形状は任意である。また筒体は同じく苗及び種子が挿入できる内径であればよく断面形状は任意である。筒体は側面部又は上面部の植込み穴と連通するようにして容器の内部に向け設け、その筒体の先端開口部の内径上端が植込み穴の下端よりも下方位置にあるように配置する。これは後述するように容器に培養土を充填したとき筒体内部に培養土の侵入しない空間をできるだけ広く形成することによって、筒体内部への苗及び種子の植込みを容易にするとともに、充填された培養土や植込まれた種子が植込み穴から流出することを防止するためである。植込み穴から筒体の先端開口部までの距離つまり筒体の長さは苗及び種子の種類に応じて適宜なものとする。但し、この距離が短くなる、すなわち先端開口部が植込み穴に近づけば近づくほど培養土や種子の流出が起こり易くなるので注意が必要である。一般に、苗の場合には筒体をやや長めにして挿入された苗を筒体で支えるようにし、種子の場合には筒体をやや短めにして発芽を容易にすることが望ましい。
【００２０】
実際の植込みにあたって、まず上面が開放された容器の場合について本構成の作用を説明する。容器上部から充填された培養土は筒体の周囲を取り囲むが、培養土と筒体の間及び培養土同士の摩擦力により、培養土は筒体の開口先端部付近で止まり筒体内部に侵入することはない。このことにより筒体内部には先端開口部付近から容器側面部の植込み穴まで培養土の侵入しない空間が形成される。すなわち容器内部の培養土と接し、かつ容器外部へ通じた空間が形成されることになる。そしてこの空間を利用して苗及び種子を植込むのである。これが本発明の大きな作用である。
【００２１】
まず苗を植込む場合には、培養土をいれる前に苗を側面部に設けた植込み穴から筒体を通して挿入し、苗の根部が筒体の先端開口部よりやや下方位置になるように止める。その後、培養土を容器上部から入れる。培養土は上記説明のように摩擦力により筒体の先端開口部付近まで充填されて苗の根部を取り囲む。一方、筒体内部は培養土の侵入しない空間が形成されることになる。従って根部は培養土内に安定に植込まれ、茎部は筒体で保護された状態となって側面部の植込みが完了する。
【００２２】
次に種子を植込む場合には、まず培養土を容器上面部から入れる。培養土は上記同様摩擦力により筒体の先端開口部付近まで充填され、筒体内部は培養土の侵入しない空間が形成される。この状態で種子を側面の植込み穴から筒体を通して投入する。その後、必要に応じて適宜の培養土を植込み穴からいれて種子を軽く覆土する。これによって種子は筒体の先端開口部付近の培養土中で安定に保持されて植込みが完了する。なお上面部の植込みはこれらの側面部の植込み後に通常通りの植込み方法で行うことができる。
【００２３】
以上のように本発明では上面部の植込みになんら支障をまねくことなく、苗及び種子の植え込みを極めて容易にかつ安定して行うことができるものである。特に種子をこのように安定して植込みできることは前記従来の技術ではまったく実施されていなかったことで本発明の大きな作用である。
【００２４】
次に上面が閉じられた容器の場合について本構成の作用を説明する。基本的な構成は上面が開放された容器の場合とほぼ同じである。異なるところは、閉じられた構造の容器を用いること、及び容器側面部のみでなく上面部にも植込み穴と筒体を設けることである。閉じられた構造の容器では培養土の充填は植込み穴を通して行うことができるが、充填のため容器上面部に開口穴を設けることが実用的であるので、以下、培養土の充填はこの開口穴から行う例で説明する。
【００２５】
側面部の植込みの作用に関しては培養土の充填をこの上部開口穴から行うもので、その他の手順及び作用は上面が開放された容器の場合とまったく同じである。
【００２６】
次に上面部の植込み穴及び筒体の作用を説明する。培養土を上部開口穴から容器上面まで充填すると側面部と同様、培養土は筒体を囲みながら先端開口部付近で止まり、筒体内部は側面部に設けた筒体と同じように培養土の侵入しない空間が形成される。従って苗の植込み及び種子の植込みとも側面部植込みと同じ手順で行うことができる。
【００２７】
このように上面が閉じられた容器の場合も上面が開放された容器の場合と同様な手順、作用で側面部及び上面部の植込みが容易に可能である。
【００２８】
（手段２）
上面が開放または閉じられた容器の側面部及び／又は上面部に少なくとも１以上の植込み穴を形成し、前記植込み穴と連通する筒体を容器の内部に向け設けた植栽容器であって、前記筒体の先端開口部の内径上端が前記植込み穴の下端よりも上方位置でかつ前記植込み穴の上端よりも下方位置にあり、さらに前記筒体の先端開口部の内径上端から前記植込み穴の下端までの水平方向長さ（Ｌ１）と、前記筒体の先端開口部の内径上端と植込み穴の下端との高さの差（Ｈ１）との比（Ｌ１／Ｈ１）が３以上であることを特徴とする植栽容器である。
【００２９】
基本的な構成は前記手段１とほぼ同じである。異なるところは、筒体の先端開口部の内径上端が植込み穴の下端よりも上方位置でかつ植込み穴の上端よりも下方位置にあり、さらに前記筒体の先端開口部の内径上端から前記植込み穴の下端までの水平方向長さ（Ｌ１）と、前記筒体の先端開口部の内径上端と植込み穴の下端との高さの差（Ｈ１）との比（Ｌ１／Ｈ１）が３以上であることである。これは筒体の先端開口部の内径上端の位置が植込み穴の下端よりも高くなったため、容器に培養土を充填したとき筒体内部に形成される培養土の侵入しない空間が小さくなり、培養土及び種子が植込み穴から流出し易くなるので、比（Ｌ１／Ｈ１）を３以上としてその流出を防ぐものである。本手段におけるその他の基本的な作用、効果は前記手段１と同じである。
【００３０】
（手段３）
上面が開放または閉じられた容器の側面部及び／又は上面部に少なくとも１以上の植込み穴を形成し、前記植込み穴と連通する筒体を容器の内部及び外部に向け設けた植栽容器であって、前記筒体の内部の先端開口部の内径上端が外部の先端開口部の内径下端よりも下方位置にあることを特徴とする植栽容器である。
【００３１】
本手段では植込み穴と連通する筒体を容器の内部及び外部に向け設け、その筒体の内部の先端開口部の内径上端が外部の先端開口部の内径下端よりも下方位置にあるように配置することによって、容器に培養土を充填したとき筒体内部に形成される培養土の侵入しない空間を十分に確保して培養土および種子の流出を防ぐようにする。本手段は容器内部に所望の長さの筒体を設ける十分なスペースがないときに、その不足分を外部の筒体として設けるものである。本手段におけるその他の基本的な作用、効果は前記手段１と同じである。
【００３２】
（手段４）
上面が開放または閉じられた容器の側面部及び／又は上面部に少なくとも１以上の植込み穴を形成し、前記植込み穴と連通する筒体を容器の内部及び外部に向け設けた植栽容器であって、前記筒体の内部の先端開口部の内径上端が外部の先端開口部の内径下端よりも上方位置でかつ内径上端よりも下方位置にあり、さらに前記筒体の内部の先端開口部の内径上端から外部の先端開口部の内径下端までの水平方向長さ（Ｌ２）と、前記筒体の内部の先端開口部の内径上端と外部の先端開口部の内径下端との高さの差（Ｈ２）との比（Ｌ２／Ｈ２）が３以上であることを特徴とする植栽容器である。
【００３３】
基本的な構成は前記手段３とほぼ同じである。異なるところは、筒体の内部の先端開口部の内径上端が外部の先端開口部の内径下端よりも上方位置でかつ内径上端よりも下方位置にあり、さらに前記筒体の内部の先端開口部の内径上端から外部の先端開口部の内径下端までの水平方向長さ（Ｌ２）と、前記筒体の内部の先端開口部の内径上端と外部の先端開口部の内径下端との高さの差（Ｈ２）との比（Ｌ２／Ｈ２）が３以上であることである。これは筒体の内部の先端開口部の内径上端の位置が外部の先端開口部の内径の下端よりも高くなったため、容器に培養土を充填したとき筒体内部に形成される培養土の侵入しない空間が小さくなり、培養土及び種子が植込み穴から流出し易くなるので、比（Ｌ２／Ｈ２）を３以上としてその流出を防ぐものである。本手段におけるその他の基本的な作用、効果は前記手段１と同じである。
【００３４】
（手段５）
上面が開放または閉じられた容器の側面部及び／又は上面部に少なくとも１以上の植込み穴を形成し、前記植込み穴と連通する筒体を容器の外部に向け設けた植栽容器であって、前記筒体の先端開口部の内径下端が植込み穴の上端よりも上方位置にあることを特徴とする植栽容器である。
【００３５】
本手段では植込み穴と連通する筒体を容器の外部に向け設け、その筒体の先端開口部の内径下端が植込み穴の上端よりも上方位置にあるように配置することによって、容器に培養土を充填したとき筒体内部に形成される培養土の侵入しない空間を十分に確保して培養土および種子の流出を防ぐようにする。これは容器内部に筒体を設けるスペースをまったくとれないときに筒体を外部に設けるものである。その他の基本的な作用、効果は前記手段１と同じである。
【００３６】
（手段６）
上面が開放または閉じられた容器の側面部及び／又は上面部に少なくとも１以上の植込み穴を形成し、前記植込み穴と連通する筒体を容器の外部に向け設けた植栽容器であって、前記筒体の先端開口部の内径下端が植込み穴の上端よりも下方位置でかつ下端より上方位置にあり、さらに前記筒体の先端開口部の内径下端から前記植込み穴の上端までの水平方向長さ（Ｌ３）と、前記筒体の先端開口部の内径下端と植込み穴の上端との高さの差（Ｈ３）との比（Ｌ３／Ｈ３）が３以上であることを特徴とする植栽容器である。
【００３７】
基本的な構成は前記手段５とほぼ同じである。異なるところは、筒体の先端開口部の内径下端が植込み穴の先端開口部の上端よりも下方位置でかつ下端よりも上方位置にあり、さらに前記筒体の先端開口部の内径下端から前記植込み穴の上端までの水平方向長さ（Ｌ３）と、前記筒体の先端開口部の内径下端と植込み穴の上端との高さの差（Ｈ３）との比（Ｌ３／Ｈ３）が３以上であることである。これは筒体の先端開口部の内径下端の位置が植込み穴の上端よりも低くなったため、容器に培養土を充填したとき筒体内部に形成される培養土の侵入しない空間が小さくなり、培養土および種子が植込み穴から流出し易くなるので、比（Ｌ３／Ｈ３）を３以上としてその流出を防ぐものである。本手段におけるその他の基本的な作用、効果は前記手段１と同じである。
【００３８】
（手段７）
前記段１乃至手段６何れかに記載の植栽容器において、前記筒体を容器と別体としたことを特徴とする植栽容器である。
【００３９】
前記手段１乃至手段６では筒体と容器を一体で構成したが、本手段では筒体を容器と別体とし組付ける構成とする。これによって筒体を苗や種子の種類に応じて適宜交換できるので、それぞれの場合に適切な植込み条件を選ぶことができる。また筒体に苗をあらかじめ挿入した状態で筒体と苗を植込み穴に挿入勘合することができるので植込み作業が容易になる。さらに容器本体と筒体を別々に製作し、その後組付けることができるので容器の製作が容易になる。筒体を別体とする方法は種々のものがあり、これは実施の形態で詳細に説明する。
【００４０】
（手段８）
前記手段１乃至手段７何れかに記載の植栽容器において、複数の筒体を一体化したことを特徴とする植栽容器である。
【００４１】
本手段では複数の筒体を連結又は複数の筒体が少なくとも１の先端開口部を共有するようにして複数の筒体を一体化する。これによって複数の筒体を個別に取り扱う必要がなくなり、植え込み作業の効率が向上する。筒体を一体化する方法は種々のものがあり、これは実施の形態で詳細に説明する。
【００４２】
（手段９）
前記手段１乃至手段８記載の植栽容器において、複数の筒体を含む面で筒体を分割したことを特徴とする植栽容器である。これによって苗の植込みが分割した筒体の上部部分を外した状態で容易にできるようになる。
【００４３】
（手段１０）
前記手段１乃至手段９記載の植栽容器において、複数の筒体及び植込み穴を含む面で筒体及び容器を分割したことを特徴とする植栽容器である。
【００４４】
本手段では筒体と容器をともに上下に分割し、上部と下部それぞれにおいて分割した容器と筒体を一体化し上部容器及び下部容器とする。これによって分割された上部容器を外して下部容器に苗の植え込みができるようになり、植込み作業の効率がさらに向上する。また容器側面部の植込み穴及び筒体は上部容器と下部容器を合わせることによって合せ目に自然に形成される。なお本手段では上下２段に分割した例を説明したが、さらに多数段で分割しても作用、効果は同じである。
【００４５】
（手段１１）
前記手段１０記載の植栽容器において、筒体及び容器を分割した分割面に仕切り壁を設けたことを特徴とする植栽容器である。
【００４６】
前記手段１０で筒体及び容器を分割したが、その分割面に仕切り壁を設けた構成とし、上部容器と下部容器をそれぞれ有底の独立した容器として別々に植込みができるようにする。そして植込み後、上部及び下部の容器を積み重ねることによってひとつの植栽容器とするものである。本手段においてもさらに多数段に分割した場合も作用、効果は同じである。
【００４７】
（手段１２）
上面が開放された容器の側面部上端に連接して少なくとも１以上の筒体を略軸線方向に分割して形成された半割体の一方を前記容器の上面部に凹面を上方に向け設けるとともに、前記筒体の半割体の他方を前記容器の底面外側に凹面を下方に向け設けた容器を複数段積み重ねることを特徴とする植栽容器である。
【００４８】
本手段の複数段積み重ねの基本となる容器（本手段中では基本ユニット容器と称す）の構成はやや複雑であるが、これは前記手段１１を拡張適用して容器を上、中、下の３段に分割した場合の中段の容器を取り出して改めて本手段の基本ユニット容器として具体的にその構成要素を説明したものである。この基本ユニット容器では上面部に筒体を略軸線方向に分割して形成された半割体の一方が、底面外側には半割体の他方が設けられているので、これを複数段積み重ねると各段の合わせ目で上面部と底面外側の各半割体が合わされて植込み穴及び筒体が形成されることになる。このようにして１種類の基本ユニット容器を複数段積み重ねて植栽容器とするものである。これによって各基本ユニット容器毎に植込みを行ない、その後積み重ねることができる。また容器の製作もただ１種類の基本ユニット容器をつくればよいことになる。
【００４９】
（手段１３）
上面が開放または閉じられた容器（以下、本手段中では本体容器と称す）の側面部に少なくとも１以上の植込み穴を形成し、前記植込み穴と連通する1以上の閉構造容器を前記容器（本体容器）の内部に向け設けた植栽容器であって、前記1以上の閉構造容器を含む面で閉構造容器を分割したことを特徴とした植栽容器である。
【００５０】
本手段では前記手段１乃至手段１２までの先端開口部を有する筒体に代わって閉構造容器を植込み穴と連通して本体容器の内部に向け設け、これを上下に分割した構成とする。ここで閉構造容器とは植込み穴と連通した部分のみが開放された容器である。分割した閉構造容器の上部部分を外して培養土の充填及び苗や種子の植込みが容易にできるようにするものである。これは本体容器と異なる培養土で側面部に植込みを行う場合に本体容器から独立した空間を形成するために用いるものである。また小さな植物で本体容器に根部を伸ばす必要がないような場合にも適用できる。
【００５１】
（手段１４）
上面が開放または閉じられた容器（以下、本手段中では本体容器と称す）の側面部に少なくとも１以上の植込み穴を形成し、前記植込み穴と連通する1以上の閉構造容器を前記容器（本体容器）の内部に向け設けた植栽容器であって、前記閉構造容器及び前記植込み穴を含む面で前記閉構造容器及び前記容器（本体容器）を分割したことを特徴とした植栽容器である。
【００５２】
本手段は前記手段１３とほぼ同じ構成で、閉構造容器及び植込み穴を含む面で閉構造容器及び本体容器をともに分割する。この作用、効果は前記手段１０で筒体と容器をともに分割した場合と同じである。
【００５３】
（手段１５）
手段１乃至手段１４何れかに記載の植栽容器において、前記植栽容器は薄型容器であり、容器の最も薄い方向の２つの面の１つに植込み穴を有することを特徴とする植栽容器である。
【００５４】
すなわち、上記前記手段１乃至手段１４で側面部植込みが容易にできるようになったので、従来の上面部植込みを縮小したり省いたりして、側面部植込みを主体とする薄型の植栽容器が可能になる。本手段はこのような作用を利用して容器の最小寸法をもつ面、つまり最も薄い方向の２つの面の１つに植込み穴を設けた植栽容器である。これによって容器が壁面から大きく突出することがなくなり、従来あまり利用されずにいた室内壁面、屋外の塀及び建物壁面などが有効に利用できるようになる。
【００５５】
（手段１６）
前記手段１乃至手段１５何れかに記載の植栽容器において、前記植込み穴に栓を設けたことを特徴とする植栽容器である。
【００５６】
この栓は容器に培養土を入れた状態及びさらに筒体内部に種子を植込んだ状態で移動、運搬するときに培養土及び種子が流出しないように植込み穴に挿入して用いるものである。これによって培養土及びさらに種子を入れた植栽容器を自由に持ち運びができるようになる。この結果、園芸に不慣れな一般の人及び非健常者並びに入院患者などが、培養土や種子の入った容器を買い求めて家に持ち帰ることによって簡単に種子植込みと育成を楽しむことができる。
【００５７】
（手段１７）
前記手段１乃至手段１６何れかに記載の植栽容器において、前記容器の側面部の植込み穴を除いた部分に絵、模様、彫刻などの装飾を施したことを特徴とする植栽容器である。
【００５８】
側面植込みや空間設置した容器の側面部に施した絵などの装飾は植込み穴の植物とあいまって景観性を高めるものである。また種子を植込んでまだ発芽しない期間はこれらの絵などの装飾が額縁の絵のように目を楽しませてくれるものである。
【００５９】
（手段１８）
上面が開放又は培養土充填用開口穴を有する閉じられた容器あって、少なくともその側面部には植込み穴を有し、該植込み穴と連通した先端開口部を有する筒体を一体もしくは別体に、内部及び／又は外部に向け設けられた植栽容器を用い、培養土を開放された上面もしくは培養土充填用開口穴から植栽容器内に所定の高さまで充填し、前記筒体に形成された培養土が侵入しない空間を利用して苗もしくは種子を植栽容器の側面部に植込みすることを特徴とする植栽方法である。その作用、効果は前記手段１乃至１７に示した通りである。
【００６０】
（手段１９）
上面が開放又は培養土充填用開口穴を有する閉じられた容器あって、少なくともその側面部には植込み穴を有し、該植込み穴と連通した先端開口部を有する筒体を一体もしくは別体に、内部及び／又は外部に向け設けられた植栽容器を用い、苗を植込み穴から前記筒体に挿入して苗の根部が前記筒体の先端開口部より下方位置になるようにし、培養土を開放された上面もしくは培養土充填用開口穴から植栽容器内に所定の高さまで充填して根の根部を埋め込み、前記筒体に形成された培養土が侵入しない空間に苗を保持し、植栽容器の側面部に植込みすることを特徴とする植栽方法である。その作用、効果は前記手段１乃至１７に示した通りである。
【００６１】
（手段２０）
上面が開放又は培養土充填用開口穴を有する閉じられた容器あって、該容器の少なくとも側面部には植込み穴を有し、該植込み穴と連通した先端開口部を有する筒体を一体もしくは別体に、内部及び／又は外部に向け設けられた植栽容器を用い、培養土を開放された上面もしくは培養土充填用開口穴から植栽容器内に所定の高さまで充填して、前記筒体に形成された培養土が侵入しない空間に種子を植込み穴から挿入し、その後必要に応じて適度な量の培養土を植込み穴から挿入して種子に覆土を行い、植栽容器の側面部に植込みすることを特徴とする植栽方法である。その作用、効果は前記手段１乃至１７に示した通りである。
【００６２】
【発明の実施の形態】
以下に本発明を実施の形態例にもとづき、より詳細に説明する。
【００６３】
（実施の形態１）
図１（ａ）、（ｂ）、（ｃ）はそれぞれ実施の形態１の植栽容器の構成を示す正面図、筒体の１断面図及び平面図である。図１（ｄ）、（ｅ）、（ｆ）はそれぞれその植栽容器に培養土を入れ、苗及び種子の植込みを行った状態を示す図である。これらの図により、本形態の構成、作用及び効果について説明する。
【００６４】
まず図１（ａ）、（ｂ）、（ｃ）では、上面が開放された直径２５ｃｍ、深さ２３ｃｍの円形のプラスチックの容器１において、容器側面部２に２個の円形の植込み穴３を形成し、その植込み穴３と連通した筒体４を容器１の内部に向け設けた。そして筒体４の先端開口部５の内径上端６は植込み穴３の下端７よりも下方位置にあるように配置した。植込み穴３の直径及び筒体４の内径は苗及び種子を挿入できるようにともに３ｃｍとした。植込み穴３から筒体４の先端開口部５までの中心線距離は６ｃｍとした。この構成は容器１に培養土を充填しとき筒体内部８に培養土の侵入しない十分な空間を形成するとともに、苗及び種子の挿入が容易で、かつ培養土及び種子が植込み穴から流出しにくい構造としたものである。
【００６５】
次に図１（ｄ）、（ｅ）、（ｆ）により実際の植込みにあたっての作用と効果を説明する。図１（ｄ）は容器に培養土１２を充填した状態を示す。培養土１２は筒体４の周囲に充填されるが、培養土１２と筒体４の間及び培養土同士の摩擦力のため筒体４の内部に侵入することはなく先端開口部５付近で止まる。従って筒体内部８には空間が形成される。この空間を利用して苗及び種子の植込みを行うのである。
【００６６】
図１（ｅ）は側面部の苗１３及び上面部の苗１４を植込んだ状態を示す。その手順は次の通りである。先ず側面部２の植込み穴３から筒体４を通して苗１３を挿入し、苗の根部１５が筒体４の先端開口部５よりやや下方位置になるように止める。次に培養土１２を容器上面部９から所定の高さまで入れる。このとき培養土１２は筒体４の外周を囲むとともに、側面部２の植込み穴３から挿入した苗の根部１５を包むように埋め込むことになる。そして培養土１２は培養土１２と筒体４の間及び培養土同士の摩擦力のため筒体内部８には侵入することはなく、筒体４の先端開口部５付近で止まる。従って苗の根部１５は安定に培養土１２に植込まれ、筒体内部８には空間が形成され茎部１６を保持することになる。これにて側面部２の植込みは完了する。必要に応じて上面部９から押さえることによってさらに確実な植込みとすることができる。その後、上面部の苗１４を通常通りの方法で植込む。
【００６７】
このように側面部２と上面部９の両方に簡単に苗の植込みが可能である。本形態によれば側面部植込みにあたって、苗１３を筒体４に挿入して位置決めし、培養土１２を容器上面部９から充填するだけで容易に所望の深さに安定した植え込みができるものである。
【００６８】
さらに図１（ｆ）は側面部の種子１７と上面部の種子１８を植込んだ状態を示す。その手順は最初に培養土１２を上面部９から所定高さまで入れる。この場合も培養土１２は摩擦力のため筒体４の先端開口部５付近で止まり筒体内部８には空間が形成される。そして側面部２には植込み穴３から筒体４を通して種子１７を投入し、必要に応じて植込み穴３から適宜に培養土１２の覆土を行う。上面部９には通常通りの方法で種子１８の植え込みを行う。以上のように本発明によれば従来まったく実施されていない側面部の種子１７の植込みを極めて簡単に行うことができる。
【００６９】
このように側面部２に本発明を適用することによる効果は、苗の場合には筒体４に収められた側面の苗１３は上面部の苗１４に比べ根部１５及び茎部１６が筒体内部８で保護されているので強い風雨や日差しに対して安定した育成が可能である。また、種子の場合には植込んだ種子１７が筒体４に保護されているので、通常の上面が開放された容器の上面部９に植込んだ種子１８で問題になりがちな種子１８が風に飛ばされたり、水に流されたり、又は強い日差しや風による過剰の水分蒸発などの現象を防止することができるものである。
【００７０】
また側面部２の植込みに関しては、植物の開花が終わり枯れた後はこれを筒体４から引き抜き、適宜の培養土１２を植込み穴３から補充して新たな種子１７を植込んでおけば、次の季節の植物の発芽と育成を簡単に行うことができるものである。
【００７１】
なお本形態ではプラスッチックの丸形容器を使ったが、これに限定されるものではない。材質は木製、素焼、金属等、また形状は四角形、多角形等でも作用、効果は同じである。また植込み穴３及び筒体４も円形とした例を示したが、苗及び種子が挿入できる大きさであれば三角形、四角形、異形、またこれらを組み合わせた形等、どんな形でも作用、効果は同じである。さらに筒体４に培養土１２が通過しない程度の大きさの小穴を設けたり、メッシュ状としたりすることによって通気性及び通水性の面で好ましい効果を得ることもできる。
【００７２】
（実施の形態２）
図２は実施の形態２の植栽容器の断面図である。本形態では上面が開放された容器において筒体４を植込み穴３から真直ぐな円管を用いて構成した。この場合の作用、効果は前記実施の形態１と同じであるが、実施の形態１と比べると筒体上面側１９が先端開口部５に斜めに接近しているので、種子から発芽した苗の場合に垂直方向の育成空間がやや狭くなっている。従ってこの形態例は種子よりも成長した植物の植込みに適している。
【００７３】
（実施の形態３）
図３は実施の形態３の植栽容器の断面図である。本形態では上面が開放された容器において筒体４を植込み穴３と同じ内径から徐々に拡げて先端開口部５を広くした例を示した。この場合も作用、効果は前記実施の形態１と同じである。このように筒体４の形状は一様断面に限らず植込み穴３から先端開口部５まで任意に拡大又は縮小しても同じ作用、効果を得ることができるものである。従って筒体４の形状は自由に変化させて苗及び種子に適した形状とすることができる。
【００７４】
（実施の形態４）
図４は実施の形態４の植栽容器の断面図である。本形態では上面が開放された容器において筒体４の一部を容器側面部２の容器内壁２０を利用して構成した。容器内部に筒体４を設ける十分なスペースがないときなどに有効である。この場合の作用、効果は前記実施の形態１と同じである。
【００７５】
（実施の形態５）
図５は実施の形態５の植栽容器の断面図である。本形態では上面が開放された容器において筒体４の植込み穴３に連通する側の内径を植込み穴３の直径よりも大きくして容器内壁２０に接するように設けた。この場合は筒体４と植込み穴３は直接には連通していないが実質的には容器内壁２０を介して連通しているとみなすことができる。この場合の作用、効果は前記実施の形態１と同じである。
【００７６】
（実施の形態６）
図６（ａ）、（ｂ）は実施の形態６の植栽容器の断面図及び培養土を入れた状態を示す図である。本形態では上面が開放された容器において筒体４を容器内部に設け、その先端開口部５の内径上端６が植込み穴３の下端７よりもＨ１だけ上方位置にありかつ上端２１よりも下方位置にあり、さらに前記筒体４の先端開口部５の内径上端６から前記植込み穴３の下端ま７での水平方向長さ（Ｌ１）と、前記筒体４の先端開口部５の内径上端６と植込み穴３の下端７との高さの差（Ｈ１）との比（Ｌ１／Ｈ１）が３である構成とした。
【００７７】
図６（ａ）において、筒体４の先端開口部５の内径上端６が植込み穴３の下端７よりもＨ１だけ上方位置にある。このような状態でもし容器１に水を入れれば、先端開口部５の内径上端６と植込み穴３の下端７の高さの差Ｈ１の分だけ水は流出することになる。しかし培養土１２の場合は、前述のように培養土１２と筒体４の間及び培養土同士の摩擦力によって若干は筒体内部８に侵入するが、最終的には図６（ｂ）に示すような状態で培養土１２は止まることになる。従ってこの場合も筒体内部８にはわずかではあるが空間が形成されることになり、本発明の作用、効果は同じように有効である。しかし、水遣りのたびや風雨によって培養土１２及び植込んだ種子が植込み穴３から流出する可能性が高くなることは否定できない。ただし、筒体４の内径や長さの適切な組合せによっては流出の危険度はある程度緩和することは可能である。
【００７８】
本発明者らは筒体４の内径、長さおよび傾斜角度などが筒体内部８の空間形成及び培養土１２や種子の植込み穴３からの流出に及ぼす影響を検討するため、一般的な直径１０ｃｍから５０ｃｍの容器サイズにおいて、培養土１２の安息角を考慮した上で実用的な範囲で種々条件を変えて実験を行った。その結果、筒体４の先端開口部５の内径上端６から植込み穴３の下端７までの水平方向長さ（Ｌ１）と、筒体４の先端開口部５の内径上端６と植込み穴の下端７との高さの差（Ｈ１）との比（Ｌ１／Ｈ１）が３以上であれば、容器１に培養土１２を充填したとき筒体内部８に培養土１２の侵入しない十分な空間が形成され、かつ植込み穴３から培養土１２及び種子が流出しないという本発明の作用、効果を確保することができることがわかった。つまり、Ｈ１が大きくなるほど植込み穴３から培養土１２及び種子が流出する危険度が増大するので、その分筒体４を長くしてＬ１を大きくし、比（Ｌ１／Ｈ１）を３以上としてこれを防止するものである。
【００７９】
このように筒体内部８に培養土１２の侵入しない十分な空間が形成されず、植込み穴３から培養土１２及び種子が流出する危険のある筒体４の配置は本形態のように筒体を容器内部に設けた場合の他に、後述する筒体４を容器内部及び外部に設けた実施の形態２０の場合、さらには筒体４を外部に設けた実施の形態２２の場合にも発生するが、いずれの場合も同様な条件によって本発明の作用、効果を確保することができる。
【００８０】
（実施の形態７）
図７（ａ）、（ｂ）は実施の形態７の筒体の断面図及び筒体を挿入勘合した植栽容器の断面図である。本形態では上面が開放された容器において筒体４を容器１と別体で構成した。
【００８１】
本形態では図７（ａ）に示すように筒体４にテーパー２２を設け容器１と別体で構成し、これと勘合する植込み穴３にも同じテーパー２２を設けて図７（ｂ）に示すように挿入勘合した例である。別体にした効果は苗や種子の種類に応じて筒体４を適宜取替えが可能になること、及び筒体４に苗をあらかじめ挿入した状態で筒体４と苗を植込み穴３に挿入勘合することができ植込み作業が容易になることである。また容器１及び筒体４を別々に製作して組立ができるので容器の製作が容易である。
【００８２】
（実施の形態８）
図８（ａ）、（ｂ）は実施の形態８の筒体の断面図及び筒体を挿入勘合した植栽容器の断面図である。本形態も上面が開放された容器において筒体４を容器１と別体で構成した。本形態では図８（ａ）に示すように筒体４に係止めフランジ２３を設けて容器１と別体で構成し、これを図８（ｂ）に示すように容器１の植込み穴３に挿入勘合した例である。作用、効果は前記実施の形態７と同じである。
【００８３】
（実施の形態９）
図９（ａ）、（ｂ）、（ｃ）は実施の形態９の植栽容器の正面図、筒体の斜視図及び筒体を挿入勘合した断面図である。本形態も上面が開放された容器において筒体４を容器１と別体で構成した例である。本形態では図９（ａ）に示すように容器１の上面部９から側面部２にかけて切欠き２４を設け、筒体４と植込み穴３は容器１と別体で構成し、図９（ｂ）に示すように切欠き２４に勘合する勘合溝２５を有するフランジ２６と一体に設けた構成とし、これを切欠き２４に上面部９から図９（ｃ）のように挿入勘合したものである。この場合、容器１には植込み穴３はないが別体としてつくった筒体４に連接されて形成されている。または切欠き２４を容器の植込み穴とみなすこともできる。作用、効果は前記実施の形態７と同じである。
【００８４】
（実施の形態１０）
図１０（ａ）、（ｂ）は実施の形態１０の植栽容器の断面図及び平面図である。本形態も上面が開放された容器において筒体４を容器１と別体で構成した例である。本形態では実施の形態９と同じような切欠き２４を上面部９から側面部２にかけて４箇所設け、これに勘合する４個の筒体４を容器１と別体で構成し、連結環２７で連結して一体化して容器上面部９から挿入勘合したものである。連結環２７は容器１の外側面に勘合している。４個の筒体４を連結して一体化したので挿入勘合が容易になった。
【００８５】
（実施の形態１１）
図１１（ａ）、（ｂ）は実施の形態１１の断面図および平面図である。本形態では上面が開放された容器において側面部２に植込み穴３を４個設けるとともに、４個の筒体４を容器１とは別体で構成し、かつ個別の先端開口部５を有したまま連結環２７で連結して一体化し、容器上面部９から容器１内面に挿入勘合した。また植込み穴３と筒体４の連通を確保するために上下位置決め用の突起２８及び円周方向位置決め用の突起２９を設けた。４個の筒体４を連結して一体化したので筒体４をひとつずつ個別に扱う必要がなくなり植込み作業の効率が向上した。
【００８６】
（実施の形態１２）
図１２は実施の形態１２の植栽容器の断面図である。本形態は上面が開放された容器において容器を上下に２分割して上部容器３０に植込み穴３及び筒体４を設け、下部容器３１には上部容器３０を受ける上下位置決め突起２８を設けた。本形態は前記実施の形態１１において筒体４を連結した連結環２７の幅を上方及び下方に広げた形状を上部容器３０としたもので、前記実施の形態１１のひとつのバリエーションとみなすことができる。
【００８７】
（実施の形態１３）
図１３（ａ）、（ｂ）は実施の形態１３の植栽容器の断面図及び平面図である。本形態では上面が開放された容器において筒体４を容器１とは別体で構成し、かつ４個の植込み穴３に連通する４個の筒体４が１つの環状の先端開口部５を共有するようにして一体化した。本形態の作用、効果は前記実施の形態１１と同じである。本形態は４個の筒体４を１個の共通の先端開口部５を有する形で一体化したが、各２個の筒体４が各１個ずつの先端開口部５を共有する形としても作用、効果は同じである。
【００８８】
（実施の形態１４）
図１４は実施の形態１４の植栽容器の断面図である。本形態では上面が開放された容器において側面部２に４個の植込み穴３（図では一部省略している）を設け、これと連通する４個の筒体４を容器１と別体でつくり、これを連結環２７で連結して一体化して容器1の内面に挿入勘合した植栽容器において、４個の筒体４を含む面Ｐ−Ｐ（二点鎖線で示す）で筒体４を上下に分割して上部筒体３２と下部筒体３３としたものである。
【００８９】
筒体４を上下に分割したことによって植込みにあたって、上部筒体３２をはずして下部筒体３３に植込む苗を目で確認しながら容易に挿入及び位置決めを行うことができる。本形態では容器１の製作を容易化するため分割面Ｐ−Ｐは筒体４の中心線上の面としたが、必ずしもこれに限定されるものではなく、筒体４を含む任意の面で略軸線方向に分割しても作用、効果は同じである。また前記実施の形態１３の植栽容器においても同じように筒体４を含む面で分割すれば本形態と同じ作用、効果を得ることができる。なお図１４では理解を容易にするために正式図面では記入すべき実線及び破線の一部を省略している。
【００９０】
（実施の形態１５）
図１５は実施の形態１５の植栽容器の断面図である。本形態では上面が開放された容器において側面部２に植込み穴３及びこれと連通する筒体４を上下の２段に設け、各段の筒体４及び植込み穴３を含む面Ｑ１−Ｑ１及びＱ２−Ｑ２（いずれも二点鎖線で示す）で各段の筒体４及び容器１を分割したものである。
【００９１】
これによって植栽容器全体は上段容器３４、中段容器３５、下段容器３６の３個の底のない連通した小容器で構成されることになったので、各段の植込みが下から順次行え植込み作業がさらに確実にかつ効率よくできるようになった。また筒体４及び容器１を一緒に上下に分割したので植込み穴３及び筒体４は各段容器３４，３５，３６を組み立てることによって合せ目に自然に形成される。本形態も容器１の製作の容易化のため分割面Ｑ１−Ｑ１及びＱ２−Ｑ２は筒体４の中心線上の面としたが、必ずしもこれに限定されるものではなく、筒体４を含む任意の面で略軸線方向に分割しても作用、効果は同じである。本形態においては各段容器の積み重ね時の位置決めのために容器側面２などに勘合フランジまたは勘合凹凸などを設けることが望ましい。
【００９２】
本形態を拡張適用すればさらに多段数に分割した背の高い植栽容器が可能である。その場合には最上段容器、最下段容器及び複数個の同一形状の中段容器の３種類の容器によって構成されることになる。
【００９３】
（実施の形態１６）
図１６は実施の形態１６の植栽容器の断面図である。本形態では前記実施の形態１５とほぼ同じ構成で、上面が開放された容器において側面部２に植込み穴３及びこれと連通する筒体４を上下の２段に設け、各段の筒体４及び植込み穴３を含む面Ｒ１−Ｒ１及びＲ２−Ｒ２（いずれも二点鎖線で示す）で各段の筒体４及び容器１を分割するとともに、その分割面に仕切り壁３７（ハッチングを付して示した）を設けた。本形態では分割面の上部側に仕切り壁３７を設けた例を示した。
【００９４】
分割面の仕切り壁３７によって容器１全体は上段容器３４、中段容器３５、下段容器３６の３個の有底の独立した小容器で構成されることになった。各段容器３４，３５，３６で別々に植込みを行ない、その後にこれらの容器を積み重ねるという手順で全ての植込みができるようになり、さらに植込み作業が容易かつ確実に行えるようになった。また本形態も筒体４及び容器１を一緒に上下に分割したので植込み穴３及び筒体４は各段容器３４，３５，３６を組み立てることによって合せ目に自然に形成される。仕切り壁を設けたもうひとつの利点は、容器がさらに多段に積み重ねられて背の高い植栽容器となった場合に、各段容器は有底でそれぞれ独立しているので下部容器の培養土が上部容器の培養土から大きな土圧を受けることがないことである。なお本形態においても各段容器の積み重ね時の位置決めのために容器側面部２などに勘合フランジまたは勘合凹凸などを設けることが望ましい。
【００９５】
また本形態を拡張適用すれば前記実施の形態１５と同様にさらに多段数に分割した背の高い植栽容器が可能である。その場合も最上段容器、最下段容器及び複数個の同一形状の中段容器の３種類の容器によって構成されることになる。
【００９６】
（実施の形態１７）
図１７（ａ）、（ｂ）は実施の形態１７の植栽容器の基本ユニット容器の断面図及び植栽容器全体の断面図である。本形態では図１７（ａ）に示す基本ユニット容器３８を５段に積み重ねて図１７（ｂ）に示す植栽容器を構成した。
【００９７】
まず図１７（ａ）に示す基本ユニット容器３８について説明する。基本ユニット容器３８は上面が開放された容器の側面部上端３９に連接して少なくとも１以上の筒体を略軸線方向に分割して形成された半割体の一方４０を容器上面部９に凹面を上方に向け設けるとともに、前記筒体の半割体の他方４１を前記容器の底面外側４２に凹面を下方に向け設けた容器である。すなわち半割体の他方４１が容器底面に相当する仕切り壁３７と連接して容器底面を構成するものである。本形態の基本ユニット容器３８の構成はやや複雑であるが、これは前記実施の形態１６において容器１を上、中、下の３段に分割した場合の中段の容器３５とまったく同じもので、これを取り出して改めて本形態の基本ユニット容器３８として具体的にその構成要素を説明したものである。
【００９８】
この１種類の基本ユニット容器３８を受け台４３の上に５段積み重ねて図１７（ｂ）に示す植栽容器とした。この基本ユニット容器３８には上面部９に筒体を略軸線方向に分割して形成された半割体の一方４０が、底面外側４２には半割体の他方４１が設けられているので、これを複数段積み重ねると各段の合わせ目で容器上面部９の半割体の一方と底面外側４２の半割体他方が合わされて植込み穴３及び筒体４が形成されることになる。また最上段の容器４４の上面部９には半割体の一方４０が設けられているが、その他の部分は開放されており上部植込みも可能である。これによって各段の基本ユニット容器３８ごと個別に順次植込みを行うことができるとともに、植栽容器全体の製作もただ１種類の基本ユニット容器３８をつくればよいことになった。本形態に示すようにただ１種類の基本ユニット容器３８をさらに多段に積み重ねて背の高い側面部植込みが主体の植栽容器を構成することができるものである。なお最上段の容器４４の上面部の植込みにあたり半割体の一方４０が邪魔になる場合は、これに折断のためのノッチ等を設けておいて簡単に除去することもできる。さらに上面部の植込みを行わないときは適宜な蓋を設けることもできる。また本形態では筒体の半割体の形成にあたって筒体の中心線で分割した例を示したが、必ずしも筒体の中心線で分割する必要はなく筒体を含む任意断面で略軸線方向に分割すればよく、要は２つの半割体が合わされて１つの植込み穴３及び筒体４を形成すればよいのである。
【００９９】
（実施の形態１８）
図１８は実施の形態１８の植栽容器の断面図である。本形態では前記実施の形態１７とほぼ同じ構成で、基本ユニット容器３８を支柱４５を囲む環状体として支柱４５の周囲に５段に積み重ねて設置した例である。本形態の支柱４５は積み重ねた植栽容器の倒れを防止するものであるが、街路灯や電柱などの柱状体に適用することもできる。その場合には基本ユニット容器３８の環状体形状を半割等の分割体として柱状体の側面から合わせるようにして設置した後固定する。本形態によれば広い面積を占有せずに多数の植物の側面部植込みが可能な植栽容器を種々の柱状体の装飾を兼ねて設置することが可能である。
【０１００】
（実施の形態１９）
図１９は実施の形態１９の植栽容器の断面図である。本形態では上面が開放された容器の側面部２に２個の植込み穴３を形成し、その植込み穴３と連通する筒体４を容器内部及び外部に向け設けた植栽容器であって、前記筒体４の内部の先端開口部４６の内径上端４８が外部の先端開口部４７の内径下端４９よりも下方位置にある構成とした。
【０１０１】
容器内部の先端開口部４６の内径上端４８を外部の先端開口部４７の内径下端４９よりも下方位置にあるように構成したので、容器１に培養土を充填したとき筒体内部８には培養土の侵入しない十分な空間が形成され、筒体４の外部の先端開口部４７から培養土及び種子が流出する心配はない。従って苗及び種子の植込みにあたっての基本的作用、効果は前記実施の形態１と同じである。
【０１０２】
本形態は比較的小さな容器などにおいて、所望の長さの筒体を容器内部に設置する十分なスペースを確保できない場合に、その不足分を外部の筒体で補うものである。また茎部が長い苗の植込みに際して、側面部植込みで問題になる苗自身の自重による不安定さを防ぐため、長い筒体の内壁で苗を支えて安定した植込みと育成を行なうことができるものである。
【０１０３】
なお本形態は上面が開放された容器で示したが、上面が閉じられ容器においても作用、効果は同じである。また本例に前記実施の形態７乃至実施の形態１８に示したような筒体を容器と別体で構成すること、筒体を連結環などで一体化すること、筒体を上下に分割すること、筒体と容器をともに分割することなどを適用することも可能である。
【０１０４】
（実施の形態２０）
図２０は実施の形態２０の植栽容器の断面図であり、培養土を充填した状態を示す。本形態では上面が開放された容器１の側面部２に２個の植込み穴３を形成し、その植込み穴３と連通する筒体４を容器１の内部及び外部に向け設けた植栽容器であって、前記筒体４の内部の先端開口部４６の内径上端４８が外部の先端開口部４７の内径下端４９よりＨ２だけ上方位置でかつ内径上端73よりも下方位置にあり、さらに前記筒体４の内部の先端開口部４６の内径上端４８から外部の先端開口部４７の内径下端４９までの水平方向長さ（Ｌ２）と、前記筒体４の内部の先端開口部４６の内径上端４８と外部の先端開口部４７の内径下端４９との高さの差（Ｈ２）との比（Ｌ２／Ｈ２）が３である構成とした。
【０１０５】
本形態は筒体４の内部の先端開口部４６の内径上端４８が外部の先端開口部４７の内径下端４９よりＨ２だけ上方位置となって、図２０からわかるように容器１に培養土１２を充填したとき筒体内部８に形成される培養土１２の侵入しない空間が小さくなったため培養土１２及び種子の流出が起こり易くなった。そこでこれを防止するため筒体４の内部の先端開口部４６の内径上端４８から外部の先端開口部４７の内径下端４９までの水平方向長さ（Ｌ２）と、前記筒体４の内部の先端開口部４６の内径上端４８と外部の先端開口部４７の内径下端４９との高さの差（Ｈ２）との比（Ｌ２／Ｈ２）が３である構成としたものである。筒体内部８の空間形成に関し、本形態と類似の状況である前記実施の形態６で説明したことと同様に、本形態の場合も比（Ｌ２／Ｈ２）が３以上であれば筒体内部８に培養土１２の侵入しない十分な空間が形成され本発明の作用、効果を得ることができる。つまり、Ｈ２が大きくなるほど培養土１２及び種子の流出する危険度が増大するので、その分筒体４を長くしてＬ２を大きくし、比（Ｌ２／Ｈ２）を３以上としてこれを防止するものである。
【０１０６】
（実施の形態２１）
図２１は実施の形態２１の植栽容器の断面図である。本形態では上面が開放された容器１の側面部２に２個の植込み穴３を形成し、その植込み穴３と連通する筒体４を容器１の外部に向け設けた植栽容器であって、当該筒体４の外部の先端開口部４７の内径下端４９が植込み穴３の上端２１よりも上方位置にある構成とした。
【０１０７】
本形態は筒体４の外部の先端開口部４７の内径下端４９が植込み穴３の上端２１よりも上方位置にある構成としたので、容器１に培養土を充填したとき培養土は植込み穴３付近で止まり、筒体内部８に培養土の侵入しない十分な空間が形成されるので筒体４の先端開口部４７から培養土及び種子が流出する心配はない。従って苗及び種子の植込みにあたっての基本的作用、効果は前記実施の形態１と同じである。本形態は容器内部に筒体４を設けるスペースがまったくないときに有効な構成である。本形態及び前記実施の形態１９とも筒体４が容器外部に突出するので外観上は好ましいとは言えないが、本発明を利用する手段のひとつである。また装飾的な容器としてオブジェ的効果を期待することもできるものである。なお本形態も前記実施の形態７乃至実施の形態１８を適用することも可能である。
【０１０８】
（実施の形態２２）
図２２は実施の形態２２の植栽容器の断面図であり、培養土を充填した状態を示す。本形態では上面が開放された容器１の側面部２に２個の植込み穴３を形成し、その植込み穴３と連通する筒体４を容器の外部に向け設けた植栽容器であって、筒体４の先端開口部４７の内径下端４９が植込み穴３の上端２１よりもＨ３だけ下方位置でかつ下端７より上方位置にあり、さらに筒体４の先端開口部４７の内径下端４９から植込み穴３の上端２１までの水平方向長さ（Ｌ３）と、筒体４の先端開口部４７の内径下端４９と植込み穴の上端２１との高さの差（Ｈ３）との比（Ｌ３／Ｈ３）が３である構成とした。
【０１０９】
本形態は筒体４の先端開口部４７の内径下端４９が植込み穴３の上端２１よりＨ３だけ下方位置になったため、図２２からわかるように筒体内部８に形成される培養土１２の侵入しない空間が小さくなり、筒体４の先端開口部４７から培養土１２及び種子の流出が起こり易くなった。そこでこれを防止するため筒体４の先端開口部４７の内径下端４９から植込み穴３の上端２１までの水平方向長さ（Ｌ３）と、筒体４の先端開口部４７の内径下端４９と植込み穴の上端２１との高さの差（Ｈ３）との比（Ｌ３／Ｈ３）が３でである構成としたものである。この場合も筒体内部８の空間形成に関し、本形態と類似の状況である前記実施の形態６で説明したことと同様に、本形態の場合も比（Ｌ３／Ｈ３）が３以上であれば筒体内部８に培養土１２の侵入しない十分な空間が形成され本発明の作用、効果を得ることができる。つまり、Ｈ３が大きくなるほど培養土１２及び種子の流出する危険度が増大するので、その分筒体４を長くしてＬ３を大きくし、比（Ｌ３／Ｈ３）を３以上としてこれを防止するものである。
【０１１０】
（実施の形態２３）
図２３は実施の形態２３の植栽容器の断面図である。本形態では上面が開放された容器（本形態中では本体容器と称す）において本体容器５０の側面部２に４個の植込み穴３（図では一部省略している）を形成し、これと連通した４個の閉構造容器５１を本体容器５０とは別体として本体容器５０の内部に向け設けた。そしてこの４個の閉構造容器５１を連結環２７で連結するとともに、４個の閉構造容器５１を含む面Ｓ−Ｓ（二点鎖線で示す）で閉構造容器５１を上部部分５２と下部部分５３に分割した構成とした。ここで閉構造容器とは植込み穴と連通した部分のみが開放された容器である。
【０１１１】
本形態は側面部植込みの植物が本体容器と異なる培養土を使う必要があるような場合に有効な構成である。また小さな植物であえて本体容器と連通する必要がないような場合にも適用できる。
【０１１２】
この場合の植込み手順は、まず閉構造容器５１の上部部分５２を取り外して閉構造容器５１の下部部分５３に培養土を入れる。次に苗を植込み穴３から挿入して培養土中に植込んだ後、閉構造容器５１の上部部分５２を下部部分５３にかぶせて側面部２の植込みを完了する。その後、上面部９から本体容器５０に培養土１２を充填して上面部９の植込みを行なう。種子の場合の植込みも同様である。
【０１１３】
このように植込み穴に連通した閉構造容器５１を本体容器５０の内部に設けることによって特殊な場合に対応した側面植込みが可能である。さらに閉構造容器５１を複数段設けた場合も同様の作用、効果を得ることができる。また本形態は上面が開放された容器について示したが、上面が閉じられた容器においても上面を上蓋構造等として同じ作用、効果を得ることができる。なお本形態も前記実施の形態７乃至実施の形態１８を適用することも可能である。
【０１１４】
（実施の形態２4）
図２４は実施の形態２４の植栽容器の断面図である。本形態では上面が開放された容器（以下、本形態中では本体容器と称す）において本体容器５０の側面部２に４個の植込み穴３を形成し、これと連通した環状の閉構造容器５１を本体容器５０の内部に向け設けた。そしてこの閉構造容器５１及び植込み穴３を含む面Ｔ−Ｔ（二点鎖線で示す）で閉構造容器５１及び本体容器５０を分割した構成とした。また分割した上部閉構造容器５４と上部本体容器５６を一体化して上部容器３０とし、下部閉構造容器５５と下部本体容器５７を一体化して下部容器３１とした。ここで閉構造容器とは植込み穴と連通した部分のみが開放された容器である。
【０１１５】
植込みの手順は上部容器３０を取り外した状態で下部閉構造容器５１に培養土を充填した後、苗又は種子の植込みを行なう。その後、上部容器３０を下部容器３１にかぶせ、上面部９から本体容器５０に培養土を充填して上面部９の植込みを行なう。このように閉構造容器５１及び本体容器５０をともに分割したので植込みがさらに容易になった。
【０１１６】
また閉構造容器５１と本体容器５０を上下に分割したので植込み穴３は上部容器３０と下部容器３１を組み立てることによって合せ目に自然に形成される。さらに閉構造容器５１を複数段設けた場合も同様の作用、効果を得ることができる。また本形態は上面が開放された容器について示したが、上面が閉じられた容器においても上面を上蓋構造等として同じ作用、効果を得ることができる。なお本形態も前記実施の形態７乃至実施の形態１８を適用することも可能である。
【０１１７】
（実施の形態２５）
図２５（ａ）、（ｂ）、（ｃ）はそれぞれ実施の形態２５の植栽容器の断面図、平面図及び培養土を入れた状態を示す図である。本形態では上面が閉じられた容器１において上面部９の植込みを行わず、側面部２だけに植込みを行う場合を示した。上面が閉じられた容器１の製作方法については種々考えられるが、本形態は容器上部部分５８と下部部分５９を接合面６０で接合して製作した。容器１には上面部９に培養土を入れる開口穴６１を設けた。また、側面部２には実施の形態１と同じ様に植込み穴３とこれと連通しかつ植込み穴３の下端７よりも下方位置に先端開口部５の内径上端６を有する筒体４を容器内部に向け設けた。
【０１１８】
この場合の植込み手順について説明する。苗の場合はまず苗を植込み穴３から筒体４を通して挿入し、その後に培養土を上部の開口穴６１から入れる。作用、効果については前記実施の形態１の側面植込みと同じである。
【０１１９】
種子の植込みの場合は最初に培養土を開口穴６１から入れ、その後、種子を植込み穴３から投入し、適宜な培養土の覆土を行う。この場合の作用、効果も前記実施の形態１の場合と同様である。このように上面が閉じられた容器で上部植込みを行わず、側面植込みのみを行う場合にも本発明は有効に作用、効果を発揮するものである。
【０１２０】
（実施の形態２６）
図２６は実施の形態２６の植栽容器の断面図である。本形態も上面が閉じられた容器１で上面部９の植込みを行わず、側面部２の植込みのみを行う場合であるが、上面が閉じられた構造を取り外し可能な上蓋６２によって構成した。このことによって培養土の投入や植え替えが容易になるとともに、側面植え込みも容易になった。植え込み手順、作用、効果は前記実施の形態２５と同じである。
【０１２１】
（実施の形態２７）
図２７（ａ）、（ｂ）、（ｃ）はそれぞれ実施の形態２７の植栽容器の断面図及び平面図並びに培養土を入れた状態である。本形態では上面が閉じられた容器１で上面部９の植込みのみを行う場合を示した。容器１の構成は、容器上面部９に植込み穴３を形成し、その植込み穴３に連通しかつ植込み穴３よりも下方位置に先端開口部５を有する筒体４を容器内部すなわち下方に向かって設けた。容器上面部９には培養土１２の充填用の開口穴６１を設けた。図２７（ｃ）に上部の開口穴６１から培養土１２を充填した状態を示す。この場合も培養土１２は筒体４を取り囲むが先端開口部５付近で止まり、筒体内部８には空間が形成される。このように筒体４の作用は上面部９においても側面部２と同じである。
【０１２２】
次に植込み手順、作用、効果について説明する。まず苗の場合には、苗を植込み穴３から筒体４を通して挿入し、苗の根部が筒体４の先端開口部５よりもやや下方になるように止める。培養土１２を容器上面部９の開口穴６１から上面まで入れる。この場合も培養土１２は筒体４を囲みながら先端開口部５付近で止まり、筒体内部８には培養土１２の侵入しない空間が形成される。そして苗の根部は培養土１２の中に安定に植込まれる。
【０１２３】
また種子の場合は最初に培養土１２を容器上面部９の開口穴６１から入れ、その後、植込み穴３から培養土１２の侵入しない空間が形成されている筒体４を通して種子を投入し、必要に応じ適度の培養土の覆土を行う。このようにして苗、種子とも簡単に植え込みが可能である。
【０１２４】
本形態における上面部植込みを一般の上面が開放された容器の上面部植込みと比較すると次のような利点がある。すなわち、種子及び苗が筒体で囲まれているので、（１）種子が強い風雨で飛散や流出することがない。（２）発芽した小さな苗が強い風雨にさらされることが少ない。（３）水分の蒸発が少ない。（４）種子を蒔いた位置がわかるので水や肥料の投与が集中的にできる。このように本発明を上面部の植込みに適用して容易に安定した植込みを行うことができるとともに、一般の上面部植込みに比べて苗及び種子の安定した育成も可能である。
【０１２５】
（実施の形態２８）
図２８は実施の形態２８の断面図である。本形態では上面が閉じられた容器１において植込み穴３及び筒体４を側面部２と上面部９の両方に設け、側面部の苗１３及び上面部の苗１４の植込みを行った例を示した。この場合の植込み手順、作用、効果は前記実施の形態２５乃至実施の形態２７の場合と同じである。このように側面部２及び上面部９に多数の植込み穴３及び筒体４を設けたので、苗と種子の自由な組合せ及び多種類の植物の植込みを楽しむことができる。
【０１２６】
なお前記実施の形態２５乃至実施の形態２８では上面が閉じられた容器の上面部９は単純な平面構造のみの例を示したが、上面が円錐状又は角錐状その他の形状になった場合も、筒体４の形状及び長さ等を適切に選ぶことによって同じ作用、効果を得ることができるものである。また前記実施の形態２５乃至実施の形態２８の上面が閉じられた容器においても前記実施の形態７乃至実施の形態１８を適用することも可能である。
【０１２７】
（実施の形態２９）
図２９（ａ）、（ｂ）は実施の形態２９の正面図及び断面図である。本形態では上面が閉じられた容器を薄型直方体形状とし、容器側面部の最も薄い方向の２つの面の１つを正面６３として、これに植込み穴３とこれに連通した筒体４を内部に向け設け、前記正面６３と相対する面を裏面６４とし、これに吊り具６５を設けた。また上面部９には培養土充填用の開口穴６１を設けた。さらに壁面設置を目的として容器下部に貯水槽６７を設け、容器との間の隔壁６８に水抜き穴１１を設けた。
【０１２８】
植込み手順、作用、効果は前記実施の形態２５と同じである。本形態では容器を薄型直方体形状としかつ吊り具６５を設けたので、室内の壁面、戸外の塀、建物の壁面などに小さなスペースで設置が可能である。従来の技術では壁面設置用でも上部植込みを主体に行うので容器上面９が広く、壁面から大きく突出したものにならざるをえなかったが、本発明によって側面部植込みを主体とした植栽が可能になり、薄型容器を利用したこのような壁面からの突出の少ない植栽が可能になった。
【０１２９】
壁面設置では本例に示すように当然、容器の最も薄い方向の２つの面の１つが壁面に接するように吊り具６５を設けるのが壁面からの突出を最小にする方法である。なお、本形態では吊り具６５は裏面側に設けたがこれに限ることはなく、容器のその他の面、例えば上面部９及び正面６３の左右面などに設けても同じ目的を達成することができる。また吊り具６５も本例の形状に限ることなく種々の形状のもので吊下げが可能である。なお本形態の植栽容器は一体構造の閉じられた容器を用いたが、前記実施の形態７乃至実施の形態２４に示す形態の植栽容器を適用することも可能である。
【０１３０】
（実施の形態３０）
図３０は実施の形態３０の植栽容器の正面図である。本形態では植込み穴３とこれと連通した筒体４を横長の長方形とした。その結果、苗及び種子の植え込みが前記実施の形態２９よりも容易になるとともに、幾つかの種子から発芽した苗に広い生育空間を与えることができるものである。
【０１３１】
（実施の形態３１）
図３１は実施の形態３１の植栽容器の断面図で、培養土１２を入れ種子１７，１８を植込んだ状態を示す。本形態では同じく上面が閉じられた容器で側面部２及び上面部９に植込み穴３とこれと連通する筒体４を設けるとともに各植込み穴３に通気穴７０を有する栓６９を設けた。また移動、運搬が容易なように手提げ用取っ手７１を設けた。
【０１３２】
この栓６９は培養土１２を入れ及びさらに種子１７，１８を植込んで移動、運搬する際に培養土１２及び種子１７，１８が植込み穴３から流出するのを防ぐ効果がある。また通気穴７０は筒体４内が蒸れたりすることを防ぐのに有効である。栓６９を設けたことによって培養土１２及び種子１７，１８を入れた容器の移動、運搬が可能になった。従って、前もって培養土１２を入れた容器及びさらに種子１７，１８まで植込んだ容器を買い求めて家に持ち帰ることによって、園芸に不慣れな人及び非健常者等も簡単に種子植込みと育成を楽しむことができるようになった。
【０１３３】
（実施の形態３２）
図３２は実施の形態３２の植栽容器の正面図である。本形態では種々の植込み穴Ａ、Ｂ、Ｃ、Ｄとこれと連通する筒体（図示せず）を容器内部に設け、さらに容器正面６３に装飾として絵７２を描いた。これによって種子を植込んでまだ発芽しない期間を額縁の絵としてこの絵７２を見て楽しむことができる。そして種子が発芽して植込み穴Ａ、Ｂ、Ｃ、Ｄから色々な植物が出てくると、この絵７２とあいまって景観上の相乗効果を生み出すことができるものである。もちろん最初から成長した植物を植込み穴Ａ、Ｂ、Ｃ、Ｄに植込むことも可能である。本形態では絵を描いた例を示したが、絵や模様を描いたり彫刻を施した紙、樹脂シート、木板、金属板などに植込み穴に対応する部分に穴をあけて貼り付けたものも作用、効果は同じである。
【０１３４】
【発明の効果】
以上、本発明は下記のような技術面及び社会面の効果を有する。
（技術面）
（１）上面が開放された容器において、苗の側面部植込みが容易かつ安定に行えるとともに、従来まったく実施されなかった種子の側面部植込みが可能な植栽容器ができる。
（２）従来まったく使用されていなかった上面が閉じられた容器において、苗及び種子の側面部及び上面部の植込みが可能な植栽容器ができる。
（３）側面部植込みが主体の小スペース型の多段式植栽容器ができる。
（４）側面部植込みが主体の容器に吊り具等を設けて壁面設置に適した植栽容器ができる。
（５）容器に培養土を充填し及びさらに種子を植込んだ状態でも、移動、運搬中に培養土及び種子が容器から流出しない植栽容器ができる。
（６）側面部植込み及び空間設置に適した容器の側面部に絵などの装飾を施して景観価値の高い植栽容器ができる。
（７）上面が開放または閉じられた容器をおいて、側面部や上面部に種子及び苗を容易に植込むことができる植栽方法を提供できる。
（社会面）
（１）従来、植物の園芸においては上面部植込みが主体であったが、本発明により新たに側面部植込みが主体の植栽方法を創出できる。
（２）従来まったく用いられることがなかった上面が閉じられた容器が植栽用に使用できるようになり、通常の上面が開放された容器とあわせて多彩な植栽を楽しむことができるようになる。
（３）側面部植込みが主体の小スペース型の多段式植栽容器により空間の有効利用が促進される。
（４）壁等への壁面設置に適した植栽容器により空間の有効利用が促進される。
（５）容器に前もって培養土を入れたり及びさらに種子を植込んだりした容器を自由に移動、運搬することが可能になり、園芸に不慣れな一般の人や非健常者等も簡単に種子の植込みと育成を楽しむことができるようになる。これは近年盛んに言われるようになったユニバーサルデザインの面でも大きな貢献をなすものである。
【図面の簡単な説明】
【図１】
実施の形態１の（ａ）は正面図、（ｂ）は筒体の１断面図、（ｃ）は平面図、（ｄ）は培養土を入れた状態、（ｅ）は苗を植込んだ状態、（ｆ）は種子を植込んだ状態
【図２】
実施の形態２の断面図
【図３】
実施の形態３の断面図
【図４】
実施の形態４の断面図
【図５】
実施の形態５の断面図
【図６】
実施の形態６の（ａ）は断面図、（ｂ）は培養土を入れた状態
【図７】
実施の形態７の（ａ）は筒体の断面図、（ｂ）は植栽容器の断面図
【図８】
実施の形態８の（ａ）は筒体の断面図、（ｂ）は植栽容器の断面図
【図９】
実施の形態９の（ａ）は正面図、（ｂ）は筒体の斜視図、（ｃ）は断面図
【図１０】
実施の形態１０の（ａ）は断面図、（ｂ）は平面図
【図１１】
実施の形態１１の（ａ）は断面図、（ｂ）は平面図
【図１２】
実施の形態１２の断面図
【図１３】
実施の形態１３の（ａ）は断面図、（ｂ）は平面図
【図１４】
実施の形態１４の断面図
【図１５】
実施の形態１５の断面図
【図１６】
実施の形態１６の断面図
【図１７】
実施の形態１７の（ａ）は基本ユニット容器の断面図、（ｂ）は植栽容器の断面図
【図１８】
実施の形態１８の断面図
【図１９】
実施の形態１９の断面図
【図２０】
実施の形態２０の培養土を入れた断面図
【図２１】
実施の形態２１の断面図
【図２２】
実施の形態２２の培養土を入れた断面図
【図２３】
実施の形態２３の断面図
【図２４】
実施の形態２４の断面図
【図２５】
実施の形態２５の（ａ）は断面図、（ｂ）は平面図、（ｃ）は培養土を入れた
状態
【図２６】
実施の形態２６の断面図
【図２７】
実施の形態２７の（ａ）は断面図、（ｂ）は平面図、（ｃ）は培養土を入れた
状態
【図２８】
実施の形態２８の苗を植込んだ状態
【図２９】
実施の形態２９の（ａ）は正面図、（ｂ）は断面図
【図３０】
実施の形態３０の正面図
【図３１】
実施の形態３１の断面図
【図３２】
実施の形態３２の正面図
【符号の説明】
１  容器
２  容器側面部
３  植込み穴
４  筒体
５  先端開口部
６  先端開口部の内径上端
７  植込み穴の下端
８  筒体内部
９  容器上面部
１０  容器底面部
１１  水抜き穴
１２  培養土
１３  側面部の苗
１４  上面部の苗
１５  苗の根部
１６  苗の茎部
１７  側面部の種子
１８  上面部の種子
１９  筒体上面側
２０  容器内壁
２１  植込み穴の上端
２２  テーパー
２３  係止めフランジ
２４  切欠き
２５  勘合溝
２６  フランジ
２７  連結環
２８  上下位置決め用の突起
２９  円周方向位置決め用の突起
３０  上部容器
３１  下部容器
３２  上部筒体
３３  下部筒体
３４  上段容器
３５  中段容器
３６  下段容器
３７  仕切り壁
３８  基本ユニット容器
３９  側面部上端
４０  筒体の半割体の一方
４１  筒体の半割体の他方
４２  底面外側
４３  受け台
４４  最上段の容器
４５  支柱
４６  容器内部の先端開口部
４７  容器外部の先端開口部
４８  容器内部の先端開口部の内径上端
４９  容器外部の先端開口部の内径下端
５０  本体容器
５１  閉構造容器
５２  閉構造容器の上部部分
５３  閉構造容器の下部部分
５４  上部閉構造容器
５５  下部閉構造容器
５６  上部本体容器
５７  下部本体容器
５８  容器上部部分
５９  容器下部部分
６０  接合面
６１  開口穴
６２  上蓋
６３  容器正面
６４  容器裏面
６５  吊り具
６６  吊り穴
６７  貯水槽
６８  隔壁
６９  栓
７０  通気穴
７１  手提げ用取っ手
７２  絵
７３  外部の先端開口部の内径上端
Ａ、Ｂ、Ｃ、Ｄ      種々の形状の植込み穴
Ｌ１    筒体の先端開口部の内径上端から植込み穴の下端までの水平方向長さ
Ｈ１    筒体の先端開口部の内径上端と植込み穴下端との高さの差
Ｌ２    筒体の内部の先端開口部の内径上端から外部の先端開口部の内径下端までの水平方向長さ
Ｈ２    筒体の内部の先端開口部の内径上端と外部の先端開口部の内径下端との高さの差
Ｌ３    筒体の先端開口部の内径下端から植込み穴の上端までの水平方向長さ
Ｈ３    筒体の先端開口部の内径下端と植込み穴の上端との高さの差
Ｐ−Ｐ      分割面
Ｑ１−Ｑ１  分割面
Ｑ２−Ｑ２  分割面
Ｒ１−Ｒ１  分割面
Ｒ２−Ｒ２  分割面
Ｓ−Ｓ      分割面
Ｔ−Ｔ      分割面